(57)【要約】【課題】巻枠の凹溝内に２つの巻線を適切に設けることができなかった。【解決手段】環状の巻枠１０の外周側の側面に設けられた第一の側壁１０１ａと第二の側壁１０１ｂとを有する凹溝１００に低電圧用の巻線を巻回する巻線方法であって、凹溝１００の第一の側壁側に、複数層の第一の巻線１１ａを、上層となる巻線が下層となる巻線よりも第二の側壁側にはみ出さないよう整列巻きする工程と、凹溝１００の第二の側壁１０１ｂと整列巻された複数層の第一の巻線１１ａとの間の領域に複数層の第二の巻線１１ｂを整列巻きする工程とを備えた。これにより、巻枠の凹溝内に２つの巻線を適切に設けることができる。【選択図】図１
2019033193.tif 000002
【特許請求の範囲】
【請求項１】
環状の巻枠の外周側の側面に設けられた第一の側壁と第二の側壁とを有する凹溝に低電圧用の巻線を巻回する巻線方法であって、
前記凹溝の前記第一の側壁側に、複数層の第一の巻線を、上層となる巻線が下層となる巻線よりも前記第二の側壁側にはみ出さないよう整列巻きする工程と、
前記凹溝の前記第二の側壁と前記整列巻された複数層の第一の巻線との間の領域に複数層の第二の巻線を整列巻きする工程とを備えた巻線方法。
【請求項２】
前記第一の巻線の巻き数と、前記第二の巻線の巻き数が同じである請求項１記載の巻線方法。
【請求項３】
前記第一の巻線の最下層は、前記第一の側壁と前記凹溝の中央近傍との間に整列巻きされる請求項１または請求項２記載の巻線方法。
【請求項４】
環状の巻枠の外周側の側面に設けられた第一の側壁と第二の側壁とを有する凹溝に巻回された低電圧用の巻線の巻線構造であって、
前記凹溝の前記第一の側壁側に、上層となる巻線が下層となる巻線よりも前記第二の側壁側にはみ出さないよう整列巻きされた複数層の第一の巻線と、
前記凹溝の前記第二の側壁と前記整列巻された複数層の第一の巻線との間の領域に整列巻きされた複数層の第二の巻線とを備えた巻線構造。
【請求項５】
環状の巻枠の外周側の側面に設けられた第一の側壁と第二の側壁とを有する凹溝に低電圧用の巻線を巻回する工程を有する変圧器の製造方法であって、
前記巻線を巻回する工程は、
前記凹溝の前記第一の側壁側に、複数層の第一の巻線を、上層となる巻線が下層となる巻線よりも前記第二の側壁側にはみ出さないよう整列巻きする工程と、
前記凹溝の前記第二の側壁と前記整列巻された複数層の第一の巻線との間の領域に複数層の第二の巻線を整列巻きする工程とを備えた変圧器の製造方法。
【発明の詳細な説明】
【技術分野】
【０００１】
本発明は、巻枠に線材を巻回する巻線方法等に関するものである。
【背景技術】
【０００２】
従来の技術として、ボビン本体の外周側面に形成された凹溝の底面に、この凹溝を幅方向に分割する分割壁を備えたものが知られていた（例えば、特許文献１参照）。
【先行技術文献】
【特許文献】
【０００３】
【特許文献１】特開２０１７−４５７５０号公報（第１頁、第１図等）
【発明の概要】
【発明が解決しようとする課題】
【０００４】
上記のようなボビンにおいては、分割壁で分割された凹溝の２つの領域に、それぞれ、巻線を巻回することで、それぞれの領域の巻線から個別に電圧を取得することが可能となるとともに、それぞれの領域の巻線間の絶縁性を分割壁で保つことが可能となる。例えば、上記のボビンを、変圧器の二次巻線用のボビンとして用いるようにし、分割壁で分割された凹溝の２つの領域に変圧器の二次巻線をそれぞれ巻回することで、分割壁で分割されたそれぞれの領域の巻線から、個別に二次側の電圧を取得することが可能となるとともに、二つの二次巻線間の絶縁性を保つことができる。また、分割壁が、二つの巻線をそれぞれ巻回する際の幅方向のガイド部材となり、二つの巻線をそれぞれ崩れないように巻回することができる。
【０００５】
しかしながら、従来の技術のような凹溝内に分割壁を備えたボビンにおいては、分割壁の厚さが薄い場合、分割壁で分割された一方の領域に巻線を巻回した際に、巻線が分割壁を押すことにより、分割壁が倒れてしまい、巻線の製作に影響を与えてしまうことが考えられる。分割壁としては、例えば樹脂製のものが用いられることから、分割壁が倒れないようにするために、分割壁の厚さ等を厚くすることも考えられるが、分割壁を厚くすると、コストが高くなるとともに、ボビン全体の厚さが厚くなり、その結果、変圧器等のコストが高くなってしまう、という問題があった。
【０００６】
このように、従来の巻線においては、巻枠の凹溝内に２つの巻線を適切に設けることができない、という課題があった。
【０００７】
本発明は、上記のような課題を解消するためになされたものであり、巻枠の凹溝内に、二つの巻線を適切に巻回することができる巻線方法等を提供することを目的とする。
【課題を解決するための手段】
【０００８】
本発明の巻線方法は、環状の巻枠の外周側の側面に設けられた第一の側壁と第二の側壁とを有する凹溝に低電圧用の巻線を巻回する巻線方法であって、凹溝の第一の側壁側に、複数層の第一の巻線を、上層となる巻線が下層となる巻線よりも第二の側壁側にはみ出さないよう整列巻きする工程と、凹溝の第二の側壁と整列巻された複数層の第一の巻線との間の領域に複数層の第二の巻線を整列巻きする工程とを備えた巻線方法である。
【０００９】
かかる構成により、第一の側壁側に巻回された第一の巻線をガイドとして、第一の巻線と第二の側壁との間に第二の巻線を巻回することにより、二つの巻線を巻枠の凹溝に適切に巻回することができる。また、第一の巻線と第二の巻線とが低電圧用の巻線であるため、これらの間の絶縁性も保つことができる。
【００１０】
また、本発明の巻線方法は、前記巻線方法において、第一の巻線の巻き数と、第二の巻線の巻き数が同じである巻線方法である。
【００１１】
かかる構成により、例えば、これらを変圧器の二次巻線として用いることで、それぞれの巻線から同じ電圧を得ることができる。
【００１２】
また、本発明の巻線方法は、前記巻線方法において、第一の巻線の最下層は、第一の側壁と凹溝の中央近傍との間に整列巻きされる巻線方法である。
【００１３】
かかる構成により、第一の巻線と第二の巻線との構造の違いを少なくして、第一の巻線と第二の巻線との特性等を近づけることができる。
【００１４】
また、本発明の巻線構造は、環状の巻枠の外周側の側面に設けられた第一の側壁と第二の側壁とを有する凹溝に巻回された低電圧用の巻線の巻線構造であって、凹溝の第一の側壁側に、上層となる巻線が下層となる巻線よりも第二の側壁側にはみ出さないよう整列巻きされた複数層の第一の巻線と、凹溝の第二の側壁と整列巻された複数層の第一の巻線との間の領域に整列巻きされた複数層の第二の巻線とを備えた巻線構造である。
【００１５】
かかる構成により、第一の側壁側に巻回された第一の巻線をガイドとして、第一の巻線と第二の側壁との間に第二の巻線を巻回することができ、二つの巻線を巻枠の凹溝に適切に巻回することができる。また、第一の巻線と第二の巻線とが低電圧用の巻線であるため、これらの間の絶縁性も保つことができる。
【００１６】
また、本発明の変圧器の製造方法は、環状の巻枠の外周側の側面に設けられた第一の側壁と第二の側壁とを有する凹溝に低電圧用の巻線を巻回する工程を有する変圧器の製造方法であって、巻線を巻回する工程は、凹溝の第一の側壁側に、複数層の第一の巻線を、上層となる巻線が下層となる巻線よりも第二の側壁側にはみ出さないよう整列巻きする工程と、凹溝の第二の側壁と整列巻された複数層の第一の巻線との間の領域に複数層の第二の巻線を整列巻きする工程とを備えた変圧器の製造方法である。
【００１７】
かかる構成により、凹溝に分割壁を設けることなく、二つの二次巻線を巻枠の凹溝に適切に巻回することができ、巻枠のコストを削減して変圧器のコストを削減できるとともに、巻枠を小型化して変圧器を小型化することができる。
【発明の効果】
【００１８】
本発明による巻線方法等によれば、巻枠の凹溝内に２つの巻線を適切に設けることができる。
【図面の簡単な説明】
【００１９】
【図１】本発明の実施の形態１における巻線方法により巻線が巻回された巻枠を示す斜視図（図１（ａ））、および図１（ａ）のＩｂ−Ｉｂ線による断面図（図１（ｂ））を示す図
【図２】同巻線方法を説明するための断面図（図２（ａ）〜図２（ｉ））
【図３】同巻線方法により巻回された巻線を説明するための断面図（図３（ａ）および図３（ｂ））
【図４】同巻線方法を説明するための、平角線を用いた第一の巻線および第二の巻線を巻回した巻枠１０の第一の例を示す断面図（図４（ａ））、および第二の例を示す断面図（図４（ｂ））
【図５】本発明の実施の形態２における変圧器の一例を示す斜視図（図５（ａ））、および図５（ａ）のＶｂ−Ｖｂ線による断面図（図５（ｂ））
【発明を実施するための形態】
【００２０】
以下、巻線方法等の実施形態について図面を参照して説明する。なお、実施の形態において同じ符号を付した構成要素は同様の動作を行うので、再度の説明を省略する場合がある。
【００２１】
（実施の形態１）
図１は、本実施の形態における巻線方法により巻線が巻回された状態の巻枠を示す斜視図（図１（ａ））、および本実施の形態における巻線構造を説明するための、図１（ａ）のＩｂ−Ｉｂ線による断面図（図１（ｂ））である。
【００２２】
図２は、本実施の形態による巻線方法を説明するための断面図（図２（ａ）〜図２（ｉ））であり、各図は、図１（ｂ）の断面図に相当する位置のおける断面を示している。
【００２３】
図３は、本実施の形態による巻線方法により巻回された巻線を説明するための、図１（ａ）のＩｂ−Ｉｂ線による断面図に相当する断面図（図３（ａ）および図３（ｂ））である。
【００２４】
巻枠１０は、外周側の側面に凹溝１００が設けられた環状の枠体である。巻枠１０は、開口部１０ａを有している。巻枠１０は、例えば、変圧器に用いられる枠体であって、巻線を巻回するための枠体である。巻枠１０は、ボビンや、コイルボビンと考えてもよい。凹溝１００は、巻枠１０の外周側の側面全体に設けられている。ただし凹溝１００は、後述する第一の巻線１１ａおよび第二の巻線１１ｂが、巻枠１０の外周側の側面に巻回可能となるように設けられていれば良く、例えば、巻枠１０の外周側の側面に部分的に設けられていても良い。凹溝１００は、２つの側壁を有している。ここでは、２つの側壁を、第一の側壁１０１ａと第二の側壁１０１ｂと呼ぶ。２つの側壁のいずれの側壁を第一の側壁１０１ａおよび第二の側壁１０１ｂと呼ぶかは問わない。第一の側壁１０１ａおよび第二の側壁１０１ｂは、凹溝１００の伸びる方向に沿って設けられている。第一の側壁１０１ａおよび第二の側壁１０１ｂは、凹溝１００の幅方向において対向するように配置されている。凹溝１００の幅方向は、例えば、巻線を巻回する方向に対して垂直な方向と考えてもよい。なお、以下、凹溝の幅方向を、単に、幅方向と呼ぶ場合がある。凹溝１００は、第一の側壁１０１ａと第二の側壁１０１ｂとの間に、底面１０３を有している。凹溝１００の少なくとも一部には、開口部（図示せず）や切り欠き部（図示せず）等が設けられていても良い。巻枠１０の材質は、例えば、樹脂である。ただし、巻枠１０の樹脂以外の絶縁性の材料で構成されていても良い。
【００２５】
本実施の形態においては、凹溝１００の底面１０３が平坦で、第一の側壁１０１ａおよび第二の側壁１０１ｂが、底面１０３に対して垂直となる形状を有しており、幅方向の断面形状が、底面１０３に対向する辺が開口した矩形形状である場合を例に挙げて示しているが、凹溝１００の断面形状等はどのような形状であっても良く、例えば、凹溝１００の断面形状が、Ｕ字形状や半円形状であっても良い。また、凹溝１００は、第一の側壁１０１ａおよび第二の側壁１０１ｂが、底面から離れるに従って広がるよう傾斜した形状であってもよい。また、底面１０３が曲面等であってもよい。また、凹溝１００の底面１０３や、第一の側壁１０１ａおよび第二の側壁１０１ｂの内側の面には、第一の巻線１１ａおよび第二の巻線１１ｂを巻回するためのガイドとなる溝や、凹凸等が適宜設けられていても良い。
【００２６】
本実施の形態においては、巻枠１０の開口部１０ａ側から見た（すなわち、凹溝１００の幅方向から見た）外形の形状が、角丸四角形である場合を例に挙げて示しているが、巻枠１０の外形の形状は、どのような形状であっても良く、例えば、多角形形状や楕円形状等であっても良い。
【００２７】
凹溝１００には、第一の巻線１１ａと、第二の巻線１１ｂとが巻回されている。凹溝１００に巻回される第一の巻線１１ａと、第二の巻線１１ｂとは、低電圧用の巻線である。低電圧用の巻線とは、低電圧に用いられる巻線である。低電圧とは、例えば、８００Ｖ以下の電圧であり、好ましくは２１０Ｖ以下の電圧である。巻線とは、線材１１１が巻回されたものである。巻線はコイルと考えてもよい。第一の巻線１１ａおよび第二の巻線１１ｂを構成する線材１１１としては、表面が絶縁性材料（例えば、絶縁膜等）で被覆された導線が用いられる。ここでは、線材１１１としてＰＶＦ（ポリビニルホルマール）で被覆された銅線を用いている。ただし、線材１１１の導線は、銅以外の金属等であっても良い。また、導線を被覆する絶縁性材料は、ＰＶＦ以外であっても良い。本実施の形態の線材１１１は、断面形状が丸形であるいわゆる丸線である。ただし、線材１１１の断面形状は、丸形以外の他の形状、例えば矩形形状や、楕円形状等であっても良い。凹溝１００の幅や、第一の側壁１０１ａと第二の側壁１０１ｂとの高さ等は問わない。凹溝１００の幅や、第一の側壁１０１ａと第二の側壁１０１ｂとの高さ等は、例えば、巻線の利用目的等に応じて設定される。なお、ここでの高さとは、凹溝１００の底面１０３からの高さである。かかることは、以下においても同様である。
【００２８】
巻線を巻回するということは、例えば、線材１１１を巻回して巻線とすることと考えてもよい。例えば、凹溝１００に巻線を巻回するということは、凹溝１００に線材１１１を巻回して、凹溝１００に巻回された巻線を形成することと考えても良い。ここでは、第一の巻線１１ａおよび第二の巻線１１ｂが、それぞれ個別の線材１１１を巻回して構成された巻線である場合について説明するが、第一の巻線１１ａと、第二の巻線１１ｂとが一の線材１１１で構成されていてもよい。なお、第一の巻線１１ａと第二の巻線１１ｂとは、一端同士が接続されていても良く、接続されていなくても良い。ここでは、第一の巻線１１ａを構成する線材１１１を第一の線材１１１ａ、第二の巻線１１ｂを構成する線材１１１を第二の線材１１１ｂと呼ぶ。
【００２９】
第一の巻線１１ａと、第二の巻線１１ｂとは、例えば、凹溝１００の幅方向において異なる領域に巻回されている。ここでの領域は、空間と考えてもよい。例えば、第一の巻線１１ａと、第二の巻線１１ｂとは、凹溝１００の幅方向において異なる隣接した領域（または空間）に巻回される。巻線を巻回するということは、巻線を巻付けることと考えてもよい。
【００３０】
第一の巻線１１ａは、凹溝１００の第一の側壁１０１ａ側に巻回されている。第一の巻線１１ａは、凹溝１００の第一の側壁１０１ａ側に巻回された複数層の線材１１１により構成されている。ここでの層は、例えば、幅方向に配列された第一の線材１１１ａである。ここでの層は、例えば、底面１０３に対する高さが同じ高さとなるよう、幅方向に配列して巻付けられた第一の線材１１１ａで構成される巻線である。ここでの層は、例えば、第一の線材１１１ａを、軸心が同一平面に位置するよう配列した層である。ここでの層についての説明は、第二の巻線１１ｂの層についても同様である。各層は、例えば、凹溝１００の底面１０３に対する高さ方向に積層されている。複数層の第一の巻線１１ａは、例えば、層間に紙等の絶縁性のシートを挟まずに巻回されている。複数層の第一の巻線１１ａの各層は、凹溝１００の第一の側壁１０１ａ側に整列巻きされている。具体的には、第一の巻線１１ａの各層は、整列巻きされた線材１１１で構成されている。
【００３１】
第一の巻線１１ａは、例えば、第一の側壁１０１ａに沿って巻回されている。第一の巻線１１ａは、できるだけ、第一の側壁１０１ａ側に詰めて（例えば、線材１１１の形状および線材１１１の巻き方によって発生する隙間以外の隙間が第一の側壁１０１ａとの間に生じないよう、またはこれ以上の第一の線材１１１ａが第一の側壁１０１ａとの間に配置できないように）巻回されることが好ましい。ただし、各層は、第一の側壁１０１ａ側に詰めて巻回しなくても良い。例えば、第一の巻線１１ａの最上層（すなわち、底面１０３に対する高さが最も高い層）の第一の線材１１１ａの巻き方のずれは、他の層の巻き方に与える影響が少ないため、第一の巻線１１ａの最上層の第一の線材１１１ａは、第一の側壁１０１ａ側に詰めて巻回しなくても良い。第一の巻線１１ａの、第一の線材１１１ａが第一の側壁１０１ａに向かって配列される層を巻回する際には、第一の線材１１１ａを、同じ高さで巻回できなくなる位置まで巻回することが好ましい。同じ高さで巻回できなくなる位置まで巻回するということは、例えば、第一の側壁１０１ａとの間に第一の線材１１１ａが配置できなくなる位置まで第一の線材１１１ａを巻回することであってもよく、巻回を行なっている層の直下の巻線の層に、巻回する第一の線材１１１ａを支える第一の線材１１１ａが位置しなくなる位置まで第一の線材１１１ａを巻回することであってもよい。
【００３２】
第一の側壁１０１ａ側とは、凹溝１００の幅方向における第一の側壁１０１ａ側であり、例えば、凹溝１００の幅方向における第一の側壁１０１ａに近い領域や、第一の側壁１０１ａに沿った領域や、第一の側壁１０１ａに接する領域と考えてもよい。第一の側壁１０１ａ側とは、凹溝１００または凹溝１００の底面１０３を、幅方向の所望の位置で分割した場合の第一の側壁１０１ａ側の領域と考えてもよい。第一の巻線１１ａが、第一の側壁１０１ａ側に巻回されているということは、例えば、第一の巻線１１ａが、第二の側壁１０１ｂに対して、０より大きい距離、好ましくは、第一の線材１１１ａの太さよりも長い距離を隔てて巻回されていることと考えてもよい。
【００３３】
第一の巻線１１ａは、上層となる巻線が下層となる巻線よりも第二の側壁側にはみ出さないよう巻回されている。具体的には、複数層の第一の巻線１１ａの各層は、上層となる整列巻きされた巻線が下層となる整列された巻線よりも第二の側壁側にはみ出さないよう巻回されている。ここでの上層および下層は、第一の巻線１１ａの各層を、凹溝１００の底面１０３に対する高さとの関係で表したものである。例えば、ここでの下層となる巻線とは、上層となる巻線に対して凹溝１００の底面１０３側に巻回された巻線の層である。また、ここでの上層となる巻線とは、例えば、下層となる巻線に対して凹溝１００の底面１０３から離れた側に巻回された巻線の層である。ここでの上層となる巻線は、例えば、下層となる巻線の上に直接巻回された巻線、すなわち、下層となる巻線の一層上の層となる巻線であり、下層となる巻線は、上層となる巻線が、上方に直接巻回されている巻線の層であり、上層となる巻線の一層下となる巻線の層である。第一の巻線１１ａにおいて、上層となる巻線が下層となる巻線よりも第二の側壁側にはみ出さないよう巻回されているということは、第一の巻線１１ａの、巻線のｎ＋１（ｎは１以上の整数）番目の層が、ｎ番目の層よりも第二の側壁１０１ｂ側にはみ出さないよう巻回されていることと考えてもよい。ここでのｎ番目とは、各層を、底面１０３側から数えた順番を示している。直接巻回されるということは、例えば、巻線、あるいは巻線の層同士が他のものを介さずに巻回することや、これらが接触するよう巻回することである。
【００３４】
上層となる巻線が、下層となる巻線に対して第二の側壁側にはみ出さないよう巻回されている、ということは、上層となる巻線の、幅方向において最も第二の側壁側に位置する第一の線材１１１ａの凹溝１００の幅方向の位置が、下層となる巻線の、幅方向において最も第二の側壁側に位置する第一の線材１１１ａの凹溝１００の幅方向の位置よりも、第二の側壁１０１ｂ側に位置しないことである。なお、最も第二の側壁側に位置する第一の線材１１１ａを、以下、単に、最も第二の側壁１０１ｂ側の第一の線材１１１ａと称す場合がある。また、上層となる巻線が、下層となる巻線に対して第二の側壁側にはみ出さないよう巻回されている、ということは、上層となる巻線の、幅方向において最も第二の側壁側に位置する第一の線材１１１ａの第一の側壁１０１ａ方向の位置が、下層となる巻線の、幅方向において最も第二の側壁側に位置する第一の線材１１１ａの凹溝１００の幅方向の位置よりも、第一の側壁１０１ａ側からみて超えない位置にあることと考えてもよい。ここでの第一の線材１１１ａの位置は、幅方向において、第一の線材１１１ａの最も第二の側壁１０１ｂ側に位置する部分（例えば、第一の線材１１１ａの側面の最も第二の側壁１０１ｂ側に位置する部分）の位置であっても良く、第一の線材１１１ａが、均一な太さを有する場合には、第一の線材１１１ａの軸心の幅方向における位置であっても良い。
【００３５】
本実施の形態においては、一例として、図１（ｂ）に示すように、第一の線材１１１ａが均一な太さの丸線であり、第一の巻線１１ａの下層に直接巻回されている上層の第一の線材１１１ａは、下層を構成する隣接して巻回された二つの第一の線材１１１ａが接する部分の上方に形成されるくぼみに配置されるよう巻回されている場合を示している。また、複数層の第一の巻線１１ａの、下層上に直接巻回される上層の、幅方向において最も第二の側壁１０１ｂ側の第一の線材１１１ａが、下層の、幅方向において最も第二の側壁１０１ｂ側の第一の線材１１１ａよりも、第一の側壁１０１ａ側に（具体的には、第一の線材１１１ａの半分の距離だけ第一の側壁１０１ａ側に）配置されて、第一の巻線１１ａの第二の側壁１０１ｂ側の部分の、幅方向に沿った断面形状が、下から上に向かって第二の側壁１０１ｂ側から第一の側壁１０１ａ側に向かって傾斜する略階段状となっている場合を示している。
【００３６】
なお、第一の巻線１１ａの、下層の、幅方向において最も第二の側壁１０１ｂ側の第一の線材１１１ａの位置と、この下層上に直接巻回されている上層の、幅方向において最も第二の側壁１０１ｂ側の第一の線材１１１ａの位置との差は、図３（ａ）に示すように、第一の線材１１１ａの太さの１．５倍であっても良い。
【００３７】
また、第一の巻線１１ａの、下層の、幅方向において最も第二の側壁１０１ｂ側の第一の線材１１１ａの位置と、この下層上に直接巻回されている上層の、幅方向において最も第二の側壁１０１ｂ側の第一の線材１１１ａの位置との差は、上記の図１（ｂ）や、図３（ａ）に示すように一定であってもよく、図３（ｂ）に示すように一定でなくても良い。
【００３８】
第二の巻線１１ｂは、凹溝１００の、第二の側壁１０１ｂと、整列巻された複数層の第一の巻線１１ａと、の間に巻回されている。第二の巻線１１ｂは、第二の側壁１０１ｂと、整列巻された複数層の第一の巻線１１ａと、の間に巻回された複数層の第二の線材１１１ｂにより構成されている。複数層の第二の巻線１１ｂは、例えば、層間に紙等の絶縁性のシートを挟まずに巻回されている。複数層の第二の巻線１１ｂは、第二の側壁１０１ｂと、整列巻された複数層の第一の巻線１１ａと、の間に整列巻きされている。具体的には、第二の巻線１１ｂの各層は、第二の側壁１０１ｂと、整列巻された複数層の第一の巻線１１ａと、の間に整列巻きされた第二の線材１１１ｂで構成されている。第二の線材１１１ｂは、例えば、第二の側壁１０１ｂや、第一の巻線１１ａに沿って巻回されている。
【００３９】
第二の巻線１１ｂは、例えば、第一の側壁１０１ａ側に巻回されている複数層の第一の巻線１１ａを第二の線材１１１ｂを巻回する際のガイドとして用いて、第一の巻線１１ａと、第二の側壁１０１ｂとの間に巻回される。第二の巻線１１ｂは、例えば、その第一の側壁１０１ａ側の部分が、第一の巻線１１ａの第二の側壁１０１ｂ側の部分と、接するよう巻回されていることが好ましい。第二の巻線１１ｂは、例えば、１または２以上の層の最も第一の側壁１０１ａ側に位置する第二の線材１１１ｂが、第一の巻線１１ａの１または２以上の層の最も第二の側壁１０１ｂ側に位置する第一の線材１１１ａに接するように巻回されていることが好ましい。なお、以下、最も第一の側壁１０１ａ側に位置する第二の線材１１１ｂを、単に、最も第一の側壁１０１ａ側の第二の線材１１１ｂと称す場合がある。第一の巻線１１ａの全ての層の最も第二の側壁１０１ｂ側の第一の線材１１１ａが、第二の巻線１１ｂの最も第一の側壁１０１ａ側の第二の線材１１１ｂのいずれかに接しているように、第二の巻線１１ｂを巻回することがより好ましいが、第一の巻線１１ａの一部の層の最も第二の側壁１０１ｂ側の第一の線材１１１ａが、第二の巻線１１ｂの最も第一の側壁１０１ａ側の第二の線材１１１ｂのいずれかに接しているよう第二の巻線１１ｂを巻回してもよい。
【００４０】
例えば、図１（ｂ）に示した本実施の形態のように、第一の巻線１１ａの全ての層の最も第二の側壁１０１ｂ側の第一の線材１１１ａが、第二の巻線１１ｂのいずれかの層の最も第一の側壁１０１ａ側の第二の線材１１１ｂに接するように、第二の巻線１１ｂを巻回してもよい。なお、図１（ｂ）においては、第二の巻線１１ｂの下から二番目以上の層の、幅方向において最も第一の側壁１０１ａ側の第二の線材１１１ｂが、第一の巻線１１ａの同じ高さの層の、幅方向において最も第二の側壁１０１ｂ側に位置する第一の線材１１１ａと、第一の巻線１１ａの一つ下の高さの層の、幅方向において最も第二の側壁１０１ｂ側に位置する第一の線材１１１ａと、に接している。ここでの下とは、底面１０３側を意味する。
【００４１】
また、第一の巻線１１ａの下方の１または２以上の層（すなわち底面１０３側の層）の、幅方向において最も第二の側壁１０１ｂ側の第一の線材１１１ａだけが、第二の巻線１１ｂのいずれかの層の、幅方向において最も第一の側壁１０１ａ側の第二の線材１１１ｂに接するように、第二の巻線１１ｂを巻回してもよい。
【００４２】
また、例えば、第一の巻線１１ａと、第二の巻線１１ｂとが同じ高さの層を有する場合に、同じ高さの層の、幅方向において最も第一の側壁１０１ａ側の第二の線材１１１ｂと、幅方向において最も第二の側壁１０１ｂ側の第一の線材１１１ａとが少なくとも接するように、第二の巻線１１ｂを巻回してもよい。
【００４３】
なお、ここでの第一の線材１１１ａと第二の線材１１１ｂとの接し方は、面による接触であっても良く、線による接触であっても良く、点による接触であっても良く、その接し方は問わない。
【００４４】
第二の巻線１１ｂの各層は、第二の側壁１０１ｂ側に詰めて（例えば、第二の線材１１１ｂの形状および第二の線材１１１ｂの巻き方によって発生する隙間以外の隙間が第二の側壁１０１ｂとの間に生じないよう、あるいはこれ以上の第二の線材１１１ｂが第二の側壁１０１ｂとの間に配置できないように）巻回されることが好ましい。ただし、各層は、第二の側壁１０１ｂ側に詰めて巻回しなくても良い。例えば、第二の巻線１１ｂの最上層の第二の線材１１１ｂの巻き方のずれは、他の層の巻き方に与える影響が少ないため、第二の巻線１１ｂの最上層の第二の線材１１１ｂは、第二の側壁１０１ｂ側に詰めて巻回しなくても良い。第二の巻線１１ｂの、第二の線材１１１ｂが第二の側壁１０１ｂに向かって配列される層を巻回する際には、第二の線材１１１ｂを、同じ高さで巻回できなくなる位置まで巻回することが好ましい。同じ高さで巻回できなくなる位置まで巻回するということは、例えば、第二の側壁１０１ｂとの間に第二の線材１１１ｂが配置できなくなる位置まで第二の線材１１１ｂを巻回することであってもよく、巻回を行なっている層の直下の巻線の層に、巻回する第二の線材１１１ｂを支える第二の線材１１１ｂが位置しなくなる位置まで第二の線材１１１ｂを巻回することであってもよい。
【００４５】
なお、第二の巻線１１ｂの、最も第一の側壁１０１ａ側の第二の線材１１１ｂが、第一の巻線１１ａの最も第二の側壁１０１ｂ側の第一の線材１１１ａに接するように巻回されているということは、第二の巻線１１ｂの、第一の側壁１０１ａ側の側面が、第一の巻線１１ａの第二の側壁１０１ｂ側の側面に接するように巻回されていることと考えてもよい。
【００４６】
第一の巻線１１ａおよび第二の巻線１１ｂにおいて、上層となる巻線の線材１１１が、幅方向において配列される方向と、それぞれの下層となる巻線の線材１１１が、幅方向において配列される方向とは逆方向であることが好ましい。例えば、第一の巻線１１ａおよび第二の巻線１１ｂを構成する一の巻線の層が巻き終わった後に、この層の上に新たな巻線の層を巻回する際には、一の巻線の層が巻き終わった後に、幅方向における線材１１１が配列される方向を折り返して、巻き終えた層の上に新たに巻線の巻回を行なうことが好ましい。なお、一の層の線材１１１が幅方向において配列される方向とは、例えば、一の層の線材１１１を整列巻きする際に巻回されていく線材１１１の、幅方向において配列される方向であり、一の層の線材１１１を巻回していく際に、幅方向において線材１１１の列が増加していく方向と考えてもよい。かかることは、これ以降の、一の巻線の線材１１１が幅方向において配列される方向についても同様である
【００４７】
凹溝１００に巻回される第一の巻線１１ａの各層の第一の線材１１１ａの巻数と、第二の巻線１１ｂの各層の線材１１１の巻数は問わない。また、凹溝１００に巻回される複数層の第一の巻線１１ａおよび第二の巻線１１ｂのそれぞれの層数は問わない。第一の巻線１１ａの最下層（すなわち、最も底面１０３側の層）は、第一の側壁１０１ａと凹溝１００の中央近傍との間に整列巻きされているようにすることが、第一の巻線１１ａの巻き方と、第二の巻線１１ｂの巻き方との違いを少なくして、第一の巻線１１ａと、第二の巻線１１ｂとの構造の違い（例えば、巻線の配列の仕方の違い）を少なくし、第一の巻線１１ａと、第二の巻線１１ｂとの特性等を近づけるうえで好ましい。
【００４８】
また、第一の巻線１１ａと、第二の巻線１１ｂとの巻数は問わない。例えば、第一の巻線１１ａの第一の線材１１１ａの巻数と、第二の巻線１１ｂの第二の線材１１１ｂの巻数とを同じとしても良く、異なる巻数としても良い。例えば、本実施の形態の巻枠１０に巻回した第一の巻線１１ａと第二の巻線１１ｂとを、後述する変圧器等の二次巻線として用いた場合、第一の巻線１１ａと、第二の巻線１１ｂとの巻数を同じとすることで、第一の巻線１１ａと、第二の巻線１１ｂとから、同じ電圧（例えば、同じ１００Ｖの電圧等）を取り出すことができる。また、第一の巻線１１ａと第二の巻線１１ｂとを、変圧器等の二次巻線として用いた場合、第一の巻線１１ａと、第二の巻線１１ｂとの巻数とを異なる巻数とすることで、第一の巻線１１ａと、第二の巻線１１ｂとから、異なる電圧、（例えば、１００Ｖと、２００Ｖの電圧等）を取り出すことができる。なお、本実施の形態においては、第一の巻線１１ａと、第二の巻線１１ｂとの巻数が同じである場合を示している。
【００４９】
なお、第一の巻線１１ａの端部や、第二の巻線１１ｂの端部等をどのように扱うかは問わない。例えば、これらの端部を、端子等に接続しても良く、予め決められた回路等に接続しても良い。また、第一の巻線１１ａ、および第二の巻線１１ｂを、後述する変圧器の二次巻線等として用いる場合、これらの端部を、ブッシング等と接続するようにしてもよい。
【００５０】
次に、本実施の形態の巻線方法について図２を用いて説明する。ここでは、第一の巻線１１ａの巻数と、第二の巻線１１ｂの巻数とが同じである場合を例に挙げて説明するが、巻数は同じでなくても良い。
【００５１】
まず、第一の巻線１１ａの巻回を以下のように行なう。
図２（ａ）に示すように、第一の線材１１１ａを巻枠１０凹溝１００に巻回して、凹溝１００の第一の側壁１０１ａと、凹溝１００の幅方向の所望の位置との間の領域に、第一の線材１１１ａを整列巻きする。ここでは、この領域内の底面１０３上に、第一の線材１１１ａを整列巻きする。幅方向の所望の位置は、少なくとも、第二の側壁１０１ｂとの間に、１以上の第二の線材１１１ｂの幅を隔てた位置であり、例えば、幅方向の中央近傍であることが好ましい。ここでは、第一の側壁１０１ａと接する位置から、第一の側壁１０１ａに沿って第一の線材１１１ａの巻回を開始して、第一の線材１１１ａが第二の側壁１０１ｂ方向に向かって配列されるよう、第一の線材１１１ａを凹溝１００の幅方向の所望の位置まで整列巻きしていく。つまり、矢印２０ａに示す方向に第一の線材１１１ａが配列されていくよう整列巻きしていく。ただし、幅方向の所望の位置側から巻回を開始しても良い。通常、線材１１１の配列方向は、線材１１１が巻回される方向に対して垂直な方向である。ここで巻回された巻線の層を、第１層と呼ぶ。
【００５２】
次に、図２（ｂ）に示すように、図２（ａ）に示すように巻回された第１層の巻線上に、この巻線よりも、幅方向において第二の側壁１０１ｂ側にはみ出さないように、第一の線材１１１ａを整列巻きする。ここで巻回された巻線の層を、第２層と呼ぶ。つまり、上層となる第２層の巻線が、幅方向において下層となる第１層の巻線よりも第二の側壁１０１ｂ側にはみ出さないように、第２層の巻線を整列巻きする。ここでは、下層となる第１層の巻線を巻き終えた後に、第一の線材１１１ａが配列される方向を折り返して、上層となる第２層の巻線の第一の線材１１１ａの配列方向が、下層となる第１層の巻線の第一の線材１１１ａの配列方向とは逆方向（ここでは、第二の側壁１０１ｂ側から第一の側壁１０１ａに向かう方向）となるよう、第一の線材１１１ａを巻回していく。つまり、矢印２０ｂに示す方向に第一の線材１１１ａが配列されていくよう整列巻きしていく。また、ここでは、一例として、下層である第１層の、幅方向において最も第二の側壁１０１ｂ側の第一の線材１１１ａよりも、幅方向において第一の側壁１０１ａ側に、第一の巻線１１ａの直径の半分だけずらした位置から第一の線材１１１ａの巻回を行なうことで、上層である第２層の巻線が、下層である第１層の巻線よりも、幅方向において第二の側壁１０１ｂ側にはみ出さないようにすることができる。また、第一の巻線１１ａが丸線であるため、第２層の第一の線材１１１ａを、第１層の第一の線材１１１ａに対して、幅方向に直径の半分だけずらして巻回することで、下層である第１層の隣接する二つの第一の線材１１１ａが接する部分の上方に形成されるくぼみに、上層である第２層の第一の線材１１１ａを巻回することができる。この第一の線材１１１ａの巻回は、第一の側壁１０１ａとの間に、第一の線材１１１ａが配置できなくなるまで行なわれる。
【００５３】
更に、上記で図２（ｂ）に示すように巻回した第２層の巻線上に、図２（ｃ）に示すように、巻線よりも、幅方向において第二の側壁１０１ｂ側にはみ出さないように、第一の線材１１１ａを整列巻きする。ここで巻回された巻線の層を、第３層と呼ぶ。つまり、上層となる第３層の巻線が、幅方向において下層となる第２層の巻線よりも第二の側壁１０１ｂ側にはみ出さないように、第３層の巻線を整列巻きする。ここでは、下層となる第２層の巻線を巻き終えた後に、第一の線材１１１ａが配列される方向を折り返して、上層となる第３層の巻線の第一の線材１１１ａの配列方向が、下層となる第２層の巻線の第一の線材１１１ａの配列方向とは逆方向（ここでは、第一の側壁１０１ａ側から、第二の側壁１０１ｂ側に向かう方向）となるよう、第一の線材１１１ａを巻回していく。つまり、矢印２０ｃに示す方向に第一の線材１１１ａが配列されていくよう整列巻きしていく。また、ここでは、下層である第２層の、幅方向において最も第二の側壁１０１ｂ側の第一の線材１１１ａよりも、幅方向において第一の側壁１０１ａ側に、第一の巻線１１ａの直径の半分だけずらした位置まで、第一の線材１１１ａを巻回する。
【００５４】
更に、図２（ｂ）と同様に、第３層の巻線を巻き終えた後、第一の線材１１１ａが配列される方向を折り返して、図２（ｃ）で示すように巻回した第３層の巻線上に、第一の線材１１１ａの配列方向が、下層となる第３層の巻線の第一の線材１１１ａの配列方向とは逆方向となるよう、第一の線材１１１ａを整列巻きする。つまり、矢印２０ｄに示す方向に第一の線材１１１ａが配列されていくよう整列巻きしていく。ここで巻回された巻線の層を、第４層と呼ぶ。これにより、図３（ｄ）に示すように、第一の巻線１１ａの巻回が完了する。
【００５５】
次に、以下のように、第一の巻線１１ａを巻回の際のガイドとして用いて、第一の巻線１１ａと、第二の側壁１０１ｂとの間に第二の巻線１１ｂを巻回する。
【００５６】
図２（ｅ）に示すように、第一の巻線１１ａの最下層である第１層と、第二の側壁１０１ｂとの間に、第二の線材１１１ｂを整列巻きする。ここでは、第二の側壁１０１ｂと接する位置から第二の側壁１０１ｂに沿って第二の線材１１１ｂの巻回を開始し、第二の線材１１１ｂが、第一の巻線１１ａの最下層である上述した第１層の、幅方向において最も第二の側壁１０１ｂ側の第一の線材１１１ａと接するまで巻回する。この場合の巻回された第二の線材１１１ｂの配列方向は、第二の側壁１０１ｂから第一の側壁１０１ａに向かう方向である。つまり、矢印２０ｅに示す方向に第二の線材１１１ｂが配列されていくよう整列巻きしていく。
【００５７】
図２（ｅ）に示すように第二の線材１１１ｂで構成される層状の巻線を巻き終えた後、第二の線材１１１ｂが配列される方向を第一の側壁１０１ａ側から第二の側壁１０１ｂ側に向かう方向に折り返して、この巻線上に、図２（ｆ）に示すように、第二の線材１１１ｂを整列巻きする。つまり、矢印２０ｆに示す方向に第二の線材１１１ｂが配列されていくよう整列巻きしていく。このとき、折り返し後の第二の線材１１１ｂの巻回を、第一の巻線１１ａの同じ高さの層（ここでは、上述した第２層）の、幅方向において最も第二の側壁１０１ｂ側の第一の線材１１１ａと接する位置から、この第一の線材１１１ａに沿って整列巻きを開始し、第二の線材１１１ｂが、同じ高さで巻回できなくなる位置まで（例えば、第二の側壁１０１ｂとの間に第二の線材１１１ｂが配置できなくなる位置まで、または、直下の巻線の層に、巻回しようとする第二の線材１１１ｂを支える第二の線材１１１ｂが位置しなくなるまで）第二の線材１１１ｂを巻回する。ここでは、第二の側壁１０１ｂとの間に第二の線材１１１ｂが配置できなくなる位置まで第二の線材１１１ｂを巻回する。
【００５８】
次に図２（ｆ）で示すように第二の線材１１１ｂで構成される層状の巻線を巻き終えた後、図２（ｅ）と同様に、第二の線材１１１ｂの配列方向を第二の側壁１０１ｂ側から第一の側壁１０１ａ側に向かう方向に折り返して、この巻線上に、図２（ｇ）に示すように、第二の線材１１１ｂを整列巻きする。つまり、矢印２０ｇに示す方向に第二の線材１１１ｂが配列されていくよう整列巻きしていく。ここでは、第二の側壁１０１ｂと接する位置から、第二の側壁１０１ｂに沿って第二の線材１１１ｂの巻回を開始し、第二の線材１１１ｂが、第一の巻線１１ａの同じ高さの層（ここでは上述した第３層）の、幅方向において最も第二の側壁１０１ｂ側の第一の線材１１１ａと接するまで巻回する。なお、ここでは、この層の第二の線材１１１ｂの巻回の開始を、第二の側壁１０１ｂに接する位置から開始したが、第二の側壁１０１ｂに接しない位置からこの層の巻回を開始しても良い。かかることは、これ以降の、第二の側壁１０１ｂ側から巻回を開始する層の巻回においても同様である。
【００５９】
つぎに、図２（ｈ）に示すように、図２（ｇ）で示すように巻回した巻線上に、図２（ｆ）に示した場合と同様に、第二の線材１１１ｂの配列方向を第一の側壁１０１ａから第二の側壁１０１ｂに向かう方向に折り返して、第二の線材１１１ｂを整列巻きする。つまり、矢印２０ｈに示す方向に第二の線材１１１ｂが配列されていくよう整列巻きしていく。このとき、折り返し後の第二の線材１１１ｂの巻回を、第一の巻線１１ａの同じ高さの層（ここでは、上述した第４層）の、幅方向において最も第二の側壁１０１ｂ側の第一の線材１１１ａと接する位置から、この第一の線材１１１ａに沿って整列巻きを開始し、第二の線材１１１ｂが、同じ高さで巻回できなくなるまで第二の線材１１１ｂを巻回する。ここでは、第二の側壁１０１ｂとの間に第二の線材１１１ｂが配置できなくなる位置まで第二の線材１１１ｂを巻回する。
【００６０】
さらに、図２（ｈ）で示すように巻回した巻線上に、図２（ｅ）と同様に、第二の線材１１１ｂの配列方向を第二の側壁１０１ｂから第一の側壁１０１ａに向かう方向に折り返して、第二の線材１１１ｂを整列巻きする。つまり、矢印２０ｉに示す方向に第二の線材１１１ｂが配列されていくよう整列巻きしていく。ここでは、第二の側壁１０１ｂと接する位置から第二の線材１１１ｂの巻回を開始する。この場合の巻回された第二の線材１１１ｂの配列方向は、第二の側壁１０１ｂから第一の側壁１０１ａに向かう方向である。ここでは、第一の巻線１１ａに同じ高さの層がないため、この層の巻回はどこで終了しても良いが、ここでは、所望の巻回数に達した時点で、巻回を終了したとする。これにより、図２（ｉ）に示すように、所望の巻数の第一の巻線１１ａと第二の巻線１１ｂとが巻回された巻枠１０を作成することができる。
【００６１】
なお、上記の巻線方法において、第一の巻線１１ａおよび第二の巻線１１ｂの巻数等は、適宜変更しても良い。例えば、第一の巻線１１ａを構成する第一の線材１１１ａの巻数が所望の巻数となるまで、上記の図２（ａ）〜図２（ｄ）に示した処理工程の１以上を適宜選択して行なってもよく、上記の図２（ａ）〜図２（ｄ）に示した処理工程の１以上を適宜繰り返し行なってもよい。同様に、例えば、第二の巻線１１ｂを構成する第二の線材１１１ｂの巻数が所望の巻数となるまで、上記の図２（ｅ）〜図２（ｉ）に示した処理工程の１以上を適宜選択して行なうようにしてもよく、繰り返し行なうようにしてもよい。
【００６２】
以上、本実施の形態においては、凹溝１００の第一の側壁１０１ａ側に巻回された第一の巻線１１ａをガイドとして、第一の巻線１１ａと第二の側壁１０１ｂとの間に第二の巻線１１ｂを巻回することにより、分割壁を設けることなく二つの巻線を凹溝１００の隣接した領域に崩れないように巻回することができ、二つの巻線を巻枠１０の凹溝１００に適切に巻回することができる。また、第一の巻線１１ａと第二の巻線１１ｂとは、低電圧用の巻線であり、表面が絶縁性材料で被覆されているため、第一の巻線１１ａと第二の巻線１１ｂとの間の絶縁性も保つことができる。
【００６３】
これにより、分割壁をなくして第一の巻線１１ａと第二の側壁１０１ｂとを巻回した巻枠１０のコストを下げることができるとともに、巻枠１０を小型化、具体的には薄型化することができる。
【００６４】
なお、上記実施の形態においては、線材１１１の断面が円形である丸線である場合を例に挙げて示したが、以下、第一の巻線１１ａおよび第二の巻線１１ｂに用いられる線材が、断面が矩形である平角線である場合の例について説明する。
【００６５】
図４は、本実施の形態の巻線方法を説明するための、線材１１１として平角線を用いた第一の巻線１１ａおよび第二の巻線１１ｂを巻回した巻枠１０の第一の例を示す断面図（図４（ａ））、および第二の例を示す断面図（図４（ｂ））である。図４は、図１（ｂ）の断面図に相当する断面図である。なお、ここで用いられている線材１１１は、紙巻平角線であるとする。
【００６６】
例えば、図４（ａ）に示すように、第一の巻線１１ａの各層の、最も第二の側壁１０１ｂ側に位置する線材１１１の第二の側壁１０１ｂ側の側面が、凹溝１００の幅方向の所望の位置に揃うように、第一の巻線１１ａを巻回し、第一の巻線１１ａと、第二の側壁１０１ｂとの間に、第二の巻線１１ｂを巻回してもよい。
【００６７】
また、図４（ｂ）に示すように、第一の巻線１１ａの各層の、最も第二の側壁１０１ｂ側に位置する線材１１１の位置が、それぞれの下層の最も第二の側壁１０１ｂ側に位置する線材１１１の位置よりも、線材１１１一本分だけ、第一の側壁１０１ａ側に位置するよう、第一の巻線１１ａを巻回し、第一の巻線１１ａと、第二の側壁１０１ｂとの間に、第二の巻線１１ｂを巻回してもよい。
【００６８】
このような構成とした場合においても、上記実施の形態と同様に、分割壁を設けることなく二つの巻線を凹溝１００の隣接した領域に崩れないように巻回することができ、二つの巻線を巻枠１０の凹溝１００に適切に巻回することができる。
【００６９】
（実施の形態２）
なお、実施の形態において説明した巻線方法により巻回された巻線を、変圧器の二次巻線として用いても良い。
【００７０】
図５は、本実施の形態の変圧器の一例を示す斜視図（図５（ａ））、および図５（ａ）のＶｂ−Ｖｂ線による断面図（図５（ｂ））である。本実施の形態の変圧器は、上記実施の形態における巻線方法により巻回された巻線を、二次巻線として有する変圧器である。図において、図１と同一符号は同一または相当する部分を示している。
【００７１】
変圧器１は、第一の巻線１１ａおよび第二の巻線１１ｂが巻回された巻枠１０と、巻枠１０の開口部１０ａ内に嵌め込み可能な形状を有しており、外周側の側面に凹溝１００と同様の凹溝２００が設けられた枠体である一次巻枠２０と、凹溝２００に巻回された高電圧用の一次巻線２１と、巻枠１０の開口部１０ａに一次巻枠２０を嵌め込んだ状態で、一次巻枠２０と、巻枠１０との対向する二つの辺にそれぞれ巻回された巻鉄心２５とを有している。
【００７２】
本実施の形態の変圧器においては、二次巻線である第一の巻線１１ａと、第二の巻線１１ｂからそれぞれ、個別に電圧を取り出すことができる。
【００７３】
本実施の形態の変圧器は、例えば、上記実施の形態１と同様に、巻枠１０に第一の巻線１１ａと第二の巻線１１ｂとを巻回する工程と、一次巻枠２０に一次巻線２１を巻回する工程と、一次巻線２１を巻回した一次巻枠２０を、第一の巻線１１ａと第二の巻線１１ｂとを巻回した巻枠１０の開口部１０ａに嵌め込む工程と、巻枠１０の開口部１０ａに一次巻枠２０を嵌め込んだ状態で、一次巻枠２０と、巻枠１０との対向する二つの辺にそれぞれ巻鉄心２５を巻回する工程とにより製造される。なお、巻枠１０に第一の巻線１１ａと第二の巻線１１ｂとを巻回する工程と、一次巻枠２０に一次巻線２１を巻回する工程と、の順番は問わない。
【００７４】
以上、本実施の形態においては、分割壁を設けることなく二つの二次巻線となる第一の巻線１１ａと、第二の巻線１１ｂと、を巻枠１０の凹溝１００内の隣接した領域に崩れないように適切に巻回することができ、二次巻線を巻回する枠体から分割壁を省略して、変圧器全体のコストダウン、省スペース化を図ることができる。
【００７５】
なお、本実施の形態においては、変圧器が有する鉄心が二つである場合について説明したが、変圧器が有する鉄心は１以上であればよい。
【００７６】
また、本実施の形態においては、外鉄形の変圧器を例に挙げて示したが、変圧器は、二次巻線を有する変圧器であれば、どのような変圧器であってよく、例えば、内鉄形の変圧器であっても良い。
【００７７】
また、一次巻枠２０の構造等は問わない。例えば、一次巻枠２０内に１以上の分割壁（図示せず）等を設け、この分割壁で分割された領域に一次巻線を巻付けるようにしてもよい。
【００７８】
また、一次巻枠２０と、巻枠１０との配置関係等は、上記の配置関係に限るものではなく、他の配置関係を有していても良い。
【００７９】
本発明は、以上の実施の形態に限定されることなく、種々の変更が可能であり、それらも本発明の範囲内に包含されるものであることは言うまでもない。
【産業上の利用可能性】
【００８０】
以上のように、本発明にかかる巻線方法等は、凹溝に２つの巻線を巻回する巻線方法として適しており、特に、変圧器の二次巻線等の、低電圧用の巻線を巻回する巻線方法等として有用である。
【符号の説明】
【００８１】
１  変圧器
１０  巻枠
１１ａ  第一の巻線
１１ｂ  第二の巻線
１００  凹溝
１０１ａ  第一の側壁
１０１ｂ  第二の側壁
１１１ａ  第一の線材
１１１ｂ  第二の線材
【図１】
2019033193.tif 000003
【図２】
2019033193.tif 000004
【図３】
2019033193.tif 000005
【図４】
2019033193.tif 000006
【図５】
2019033193.tif 000007